(57)【要約】【課題】トレイに複数種類のシート状媒体が混載されていても重送を精度よく検出できるシート状媒体搬送装置、及び画像読取装置を提供する。【解決手段】トレイに混載されているシート状媒体を一枚ずつ搬送する搬送手段と、搬送手段によって搬送中のシート状媒体について、重送されている場合と重送されていない場合とで測定結果が異なる測定項目を測定する測定手段（Ｓ３１０）と、測定手段によって測定された測定結果と基準値とを比較して重送を検出する重送検出手段（Ｓ３１０）と、搬送中のシート状媒体の種類の切り替りを判断する判断手段（Ｓ３１５）と、判断手段によって種類の切り替りが判断されると、切り替り後の種類に応じて基準値を変更する基準値変更手段（Ｓ３０９）と、を備える。【選択図】図１５
2010173798.tif 000002
【特許請求の範囲】
【請求項１】
複数種類のシート状媒体が混載されるトレイと、
前記トレイに混載されているシート状媒体を一枚ずつ搬送する搬送手段と、
前記搬送手段によって搬送中のシート状媒体について、重送されている場合と重送されていない場合とで測定結果が異なる測定項目を測定する測定手段と、
前記測定手段によって測定された測定結果と基準値とを比較して重送を検出する重送検出手段と、
前記搬送手段によって搬送中のシート状媒体の種類の切り替りを判断する判断手段と、
前記判断手段によって種類の切り替りが判断されると、切り替り後の種類に応じて前記基準値を変更する基準値変更手段と、
を備えるシート状媒体搬送装置。
【請求項２】
請求項１に記載のシート状媒体搬送装置であって、
前記測定項目は、シート状媒体の搬送方向の長さである、シート状媒体搬送装置。
【請求項３】
請求項１に記載のシート状媒体搬送装置であって、
前記測定項目は、シート状媒体の厚さである、シート状媒体搬送装置。
【請求項４】
請求項１乃至請求項３のいずれか一項に記載のシート状媒体搬送装置であって、
前記基準値変更手段は、種類の切り替り後に最初に搬送されるシート状媒体の測定結果を前記基準値に設定する、シート状媒体搬送装置。
【請求項５】
請求項１乃至請求項３のいずれか一項に記載のシート状媒体搬送装置であって、
前記基準値として設定する値をシート状媒体の種類毎に記憶する記憶手段を備え、
前記基準値変更手段は、種類の切り替り後に最初に搬送されるシート状媒体の種類に対応する値を前記記憶手段から読み出して前記基準値に設定する、シート状媒体搬送装置。
【請求項６】
請求項５に記載のシート状媒体搬送装置であって、
前記基準値として設定する値を変更するための操作手段を備える、シート状媒体搬送装置。
【請求項７】
請求項４乃至請求項６のいずれか一項に記載のシート状媒体搬送装置であって、
前記基準値変更手段は、種類の切り替り後に最初に搬送されるシート状媒体の次以降に搬送されるシート状媒体について、前記測定手段によりシート状媒体が測定される毎に、その測定結果で前記基準値を更新する、シート状媒体搬送装置。
【請求項８】
請求項１乃至請求項７のいずれか一項に記載のシート状媒体搬送装置であって、
前記判断手段は、
前記トレイに混載されている連続する同一種類のシート状媒体群をそれぞれ一つのグループとして、少なくとも最後に搬送されるグループ以外の各グループについて、当該グループに属するシート状媒体の枚数を設定する枚数設定手段と、
前記搬送手段によってシート状媒体が１枚搬送される毎に搬送済み枚数をカウントアップするカウント手段と、
を有し、前記枚数設定手段で設定された枚数と前記搬送済み枚数とに基づいてグループの切り替りを判断する、シート状媒体搬送装置。
【請求項９】
前記シート状媒体は画像が形成されている原稿であり、
前記トレイに混載されている原稿を１枚ずつ搬送して読取位置を通過させる請求項８に記載のシート状媒体搬送装置と、
前記読取位置を通過する原稿を読み取って画像データを生成する読取手段と、
を備える画像読取装置。
【請求項１０】
請求項９に記載の画像読取装置であって、
前記枚数設定手段は、グループの数と各グループに属する原稿の枚数とが予め設定されている複数の読取モードのいずれかを選択するモード選択手段を備える、画像読取装置。
【請求項１１】
請求項１０に記載の画像読取装置であって、
前記読取モードに設定されている各グループの枚数を変更する第１の枚数変更手段を備える、画像読取装置。
【請求項１２】
請求項１０又は請求項１１に記載の画像読取装置であって、
前記読取手段で生成された画像データを送信する送信手段を備え、
前記モード選択手段は、前記読取モードの一つとして、最初に搬送される所定枚数のシート状媒体を送付状グループとし、それ以降のシート状媒体を原稿グループとする送付状モードを選択可能である、画像読取装置。
【請求項１３】
請求項１２に記載の画像読取装置であって、
前記送信手段により画像データを送信する送信先を選択する送信先選択手段と、
前記送付状グループの枚数を前記送信先選択手段により選択された送信先に応じて変更する第２の枚数変更手段とを備える、画像読取装置。
【請求項１４】
請求項９乃至請求項１３のいずれか一項に記載の画像読取装置であって、
前記重送検出手段は、グループの枚数が２以上のときのみ重送の検出を行う、画像読取装置。
【発明の詳細な説明】
【技術分野】
【０００１】
本発明は、シート状媒体搬送装置、及び画像読取装置に関する。
【背景技術】
【０００２】
従来、収容部に重ねて収容されている媒体を一枚ずつ搬送し、搬送路上に配置されている透過光量測定手段により媒体の厚み方向の透過光量を測定して重送検出を行う媒体識別装置が知られている（例えば、特許文献１参照）。この媒体識別装置では、最初に搬送されてくる媒体に対しては媒体の種類判別を行い、かつ、それ以降搬送されてくる媒体に対しては重送検出を行っている。
【先行技術文献】
【特許文献】
【０００３】
【特許文献１】特開２００６−３２１２１５公報
【発明の概要】
【発明が解決しようとする課題】
【０００４】
しかしながら、従来の媒体識別装置によると、収容部に複数種類の媒体が混載されている場合には、重送を誤検出してしまう虞がある。
本発明は上記のような事情に基づいて完成されたものであって、トレイに複数種類のシート状媒体が混載されていても重送を精度よく検出できるシート状媒体搬送装置、及び画像読取装置を提供することを目的とする。
【課題を解決するための手段】
【０００５】
第１の発明は、シート状媒体搬送装置であって、複数種類のシート状媒体が混載されるトレイと、前記トレイに混載されているシート状媒体を一枚ずつ搬送する搬送手段と、前記搬送手段によって搬送中のシート状媒体について、重送されている場合と重送されていない場合とで測定結果が異なる測定項目を測定する測定手段と、前記測定手段によって測定された測定結果と基準値とを比較して重送を検出する重送検出手段と、前記搬送手段によって搬送中のシート状媒体の種類の切り替りを判断する判断手段と、前記判断手段によって種類の切り替りが判断されると、切り替り後の種類に応じて前記基準値を変更する基準値変更手段と、を備える。
測定手段による測定結果は、重送されている場合と重送されていない場合とで異なる他、シート状媒体の種類によっても異なる場合がある。シート状媒体の種類によって測定結果が異なる場合、シート状媒体の種類に応じて基準値を変更しないと、重送を誤検出してしまう虞がある。
この発明によると、搬送中のシート状媒体の種類が切り替ると、切り替り後の種類に応じて基準値を変更するので、搬送中にシート状媒体の種類が切り替ることによる誤検出を低減できる。
よってこの発明によると、トレイに複数種類のシート状媒体が混載されていても重送を精度よく検出できる。
【０００６】
第２の発明は、第１の発明のシート状媒体搬送装置であって、前記測定項目は、シート状媒体の搬送方向の長さである。
例えば２枚のシート状媒体が一部重なって重送されている場合、シート状媒体の搬送方向の長さを測定すると、先のシート状媒体の搬送方向先端から後のシート状媒体の搬送方向後端までが長さとして測定される。つまり、シート状媒体が重送されている場合に測定される長さは、重送されていない場合に測定される長さより長くなる。従って、シート状媒体の長さを測定すると、重送を検出できる。
【０００７】
第３の発明は、第１の発明のシート状媒体搬送装置であって、前記測定項目は、シート状媒体の厚さである。
例えば２枚のシート状媒体が一部重なって重送されている場合は、重なっている部分の厚さは１枚のシート状媒体の厚さより厚くなる。つまり、シート状媒体が重送されている場合に測定される厚さは、重送されていない場合に測定される厚さより厚くなる。従って、シート状媒体の厚さを測定すると、重送を検出できる。
【０００８】
第４の発明は、第１〜第３のいずれかの発明のシート状媒体搬送装置であって、前記基準値変更手段は、種類の切り替り後に最初に搬送されるシート状媒体の測定結果を前記基準値に設定する。
この発明によると、切り替り後の種類に応じて基準値を変更できる。
【０００９】
第５の発明は、第１〜第３のいずれかの発明のシート状媒体搬送装置であって、前記基準値として設定する値をシート状媒体の種類毎に記憶する記憶手段を備え、前記基準値変更手段は、種類の切り替り後に最初に搬送されるシート状媒体の種類に対応する値を前記記憶手段から読み出して前記基準値に設定する。
この発明によると、切り替り後の種類に応じて基準値を変更できるとともに、種類の切り替り後に最初に搬送されるシート状媒体についても重送を検出できる。
【００１０】
第６の発明は、第５の発明のシート状媒体搬送装置であって、前記基準値として設定する値を変更するための操作手段を備える。
測定手段の測定精度は経時変化する場合がある。この発明によると、基準値として設定する値を変更できるので、測定手段の測定精度が経時変化しても、変化後の測定精度に応じて値を変更することにより、シート状媒体の重送を精度よく検出できる。
【００１１】
第７の発明は、第４〜第６のいずれかの発明のシート状媒体搬送装置であって、前記基準値変更手段は、種類の切り替り後に最初に搬送されるシート状媒体の次以降に搬送されるシート状媒体について、前記測定手段によりシート状媒体が測定される毎に、その測定結果で前記基準値を更新する。
測定手段の測定精度は経時変化する場合がある。測定手段の測定精度が経時変化すると、重送でないにもかかわらず基準値と測定結果との乖離が大きくなり、重送であると誤検出してしまう可能性がある。
シート状媒体の測定項目が測定される毎にその測定結果で基準値を更新するようにすると、重送でない場合は基準値と次に搬送されるシート状媒体の測定結果との乖離が小さくなり、重送であると誤検出してしまう可能性を低減できる。
【００１２】
第８の発明は、第１〜第７のいずれかの発明のシート状媒体搬送装置であって、前記判断手段は、前記トレイに混載されている連続する同一種類のシート状媒体群をそれぞれ一つのグループとして、少なくとも最後に搬送されるグループ以外の各グループについて、当該グループに属するシート状媒体の枚数を設定する枚数設定手段と、前記搬送手段によってシート状媒体が１枚搬送される毎に搬送済み枚数をカウントアップするカウント手段と、を有し、前記枚数設定手段で設定された枚数と前記搬送済み枚数とに基づいてグループの切り替りを判断する。
この発明によると、グループの切り替り、すなわち種類の切り替りを判断できる。
【００１３】
第９の発明は、画像読取装置であって、前記シート状媒体は画像が形成されている原稿であり、前記トレイに混載されている原稿を１枚ずつ搬送して読取位置を通過させる請求項８に記載のシート状媒体搬送装置と、前記読取位置を通過する原稿を読み取って画像データを生成する読取手段と、を備える。
この発明によると、シート状媒体搬送装置によって搬送される原稿を読み取る画像読取装置において、原稿の重送を精度よく検出できる。
【００１４】
第１０の発明は、第９の発明の画像読取装置であって、前記枚数設定手段は、グループの数と各グループに属する原稿の枚数とが予め設定されている複数の読取モードのいずれかを選択するモード選択手段を備える。
この発明によると、選択する予定の読取モードに設定されているグループの数と各グループに属する原稿の枚数とに合わせて複数種類の原稿をトレイに混載し、その上で当該読取モードを選択することにより、各グループの枚数を一度に設定できる。これにより、各グループの枚数の設定が容易になる。
【００１５】
第１１の発明は、第１０の発明の画像読取装置であって、前記読取モードに設定されている各グループの枚数を変更する第１の枚数変更手段を備える。
読み取るシート状媒体の枚数は必ずしも固定であるとは限らず、その時々で異なることもあり得る。
この発明によると、各グループの枚数を変更できるので、利用者の利便性が向上する。
【００１６】
第１２の発明は、第１０又は第１１の発明の画像読取装置であって、前記読取手段で生成された画像データを送信する送信手段を備え、前記モード選択手段は、前記読取モードの一つとして、最初に搬送される所定枚数のシート状媒体を送付状グループとし、それ以降のシート状媒体を原稿グループとする送付状モードを選択可能である。
画像データを送信する場合、最初に送付状を添付することがある。そして、この送付状は他の原稿とは種類が異なる場合がある。このように他の原稿とは種類が異なる送付状を添付して送信する場合には、送付状を一つのグループとし、原稿を別のグループとした送付状モードを用意しておくことにより、画像データを送信する際の各グループの枚数の設定が容易になる。
【００１７】
第１３の発明は、第１２の発明の画像読取装置であって、前記送信手段により画像データを送信する送信先を選択する送信先選択手段と、前記送付状グループの枚数を前記送信先選択手段により選択された送信先に応じて変更する第２の枚数変更手段とを備える。
この発明によると、複数の送信先があって送信先毎に各グループの枚数が異なっても、選択した送信先に応じて自動で枚数が変更されるので、画像データを送付する際の各グループの枚数の設定がより容易になる。
【００１８】
第１４の発明は、第９〜第１３のいずれかの発明の画像読取装置であって、前記重送検出手段は、グループの枚数が２以上のときのみ重送の検出を行う。
例えば種類の切り替り後に最初に搬送されるシート状媒体の測定結果を基準値に設定する場合、グループの枚数が１枚の場合はその基準値は用いられない。このためグループの枚数が１枚の場合は重送の検出をしないようにすると、そのような処理の無駄を低減できる。
【発明の効果】
【００１９】
本発明によれば、トレイに複数種類のシート状媒体が混載されていても重送を精度よく検出できる。
【図面の簡単な説明】
【００２０】
【図１】本発明の一実施形態に係る画像読取装置の模式図。
【図２】本発明の一実施形態に係るシート状媒体の重送を示す模式図。
【図３】本発明の一実施形態に係るシート状媒体の搬送を示す模式図。
【図４】本発明の一実施形態に係るファクシミリ送信を説明する模式図。
【図５】本発明の一実施形態に係るユーザインタフェースの模式図。
【図６】本発明の一実施形態に係る各グループの枚数を示す模式図。
【図７】本発明の一実施形態に係るコピーを説明するための模式図
【図８】本発明の一実施形態に係る動作指示シートを拡大して示す模式図。
【図９】本発明の一実施形態に係るユーザインタフェースの模式図。
【図１０】本発明の一実施形態に係る各グループの枚数を示す模式図。
【図１１】本発明の一実施形態に係る各グループの枚数を示す模式図。
【図１２】本発明の一実施形態に係るフローチャート。
【図１３】本発明の一実施形態に係るフローチャート。
【図１４】本発明の一実施形態に係るフローチャート。
【図１５】本発明の一実施形態に係るフローチャート。
【発明を実施するための形態】
【００２１】
＜実施形態１＞
本発明の実施形態１を図１ないし図１４によって説明する。
（１）シート状媒体搬送装置及び画像読取装置の構成
図１は、スキャナ機能、プリンタ機能、コピー機能、ファクシミリ機能などを備える複合機１（画像読取装置の一例）の模式図である。
【００２２】
複合機１の筐体１１（図１では一部のみを図示）は概ね箱形に形成されており、上部に第１プラテンガラス１２と第２プラテンガラス１３とが並設されている。
原稿カバー１５（シート状媒体搬送装置の一例）は第１プラテンガラス１２を覆う閉姿勢と第１プラテンガラス１２を開放する開姿勢とに回動可能に筐体１１に連結されている。原稿カバー１５は、ＡＤＦ１６（Auto Document Feeder、搬送手段の一例）、紙などのシート状媒体が積載される原稿トレイ１７（トレイの一例）、排紙トレイ１８などを備えている。
【００２３】
ＡＤＦ１６は、搬送路１９、一対の搬送ローラ２０、一対の排紙ローラ２１などの各種のローラ、これらを駆動する図示しないステッピングモータなどを有しており、原稿トレイ１７に載置されたシート状媒体を一枚ずつ搬送して第２プラテンガラス１３上を通過させる。
また、図１では省略しているが、ＡＤＦ１６はシート状媒体の表面が読み取られるようにシート状媒体を搬送して第２プラテンガラス１３上を通過させた後、シート状媒体を自動で裏返してシート状媒体の裏面が読み取られるように第２プラテンガラス１３上を通過させることができる。これにより複合機１はシート状媒体の両面を自動で読み取ることができる。
【００２４】
読取部２５（読取手段の一例）はＣＩＳ（Contact Image Sensor）方式でシート状媒体を読み取るように構成されており、複数の受光素子が紙面垂直方向に直線状に配列されたリニアイメージセンサ２８、ＲＧＢ３色の発光ダイオードなどで構成される光源２９、シート状媒体で反射された反射光をリニアイメージセンサ２８の各受光素子に結像させるロッドレンズアレイ３０、これらが搭載されるキャリッジ３１、及びキャリッジ３１を搬送する図示しない搬送機構などを備えている。なお、読取部２５は縮小光学系を用いてシート状媒体を読み取るものであってもよい。
【００２５】
読取部２５は、第１プラテンガラス１２に載置されているシート状媒体を読み取るときはキャリッジ３１を第１プラテンガラス１２の盤面に平行な副走査方向（図中のＡ方向）に一定速度で搬送しながら読み取り、ＡＤＦ１６によって搬送されるシート状媒体を読み取るときはキャリッジ３１を第２プラテンガラス１３の直下に停止させて読み取る。
【００２６】
イメージセンサ制御部３５（読取手段の一例）はＡＳＩＣとして構成されており、フレキシブルフラットケーブル３４を介してＡＤＦ１６及び読取部２５に接続されている。イメージセンサ制御部３５はＡＤＦ１６及び読取部２５を制御するとともに、リニアイメージセンサ２８から出力される画像データにゲイン調整、Ａ／Ｄ変換などの処理を行う。
【００２７】
画像処理部３６はＡＳＩＣとして構成されており、イメージセンサ制御部３５から出力された画像データにガンマ補正、シェーディング補正、ノイズ除去、カラーバランス調整、拡大／縮小、色空間変換などの各種の処理を施す。
ＣＰＵ３７（搬送手段、測定手段、重送検出手段、判断手段、基準値変更手段、操作手段、枚数設定手段、カウント手段、読取手段、モード選択手段、第１の枚数変更手段、送信先選択手段、第２の枚数変更手段の一例）は、ＲＯＭ３８に記憶されている各種のプログラムを実行することにより複合機１の各部を制御する。
【００２８】
ＲＯＭ３８（記憶手段の一例）は、ＣＰＵ３７が実行する各種のプログラムなどを記憶している。
ＲＡＭ３９は、ＣＰＵ３７が各種の処理を実行するための主記憶装置として用いられる。
ファクシミリ送受信部４０（送信手段の一例）は、電話回線を介して電話交換機に接続され、所定のファクシミリ通信手順に従って画像データを送受信する。
【００２９】
プリンタ部４１は、画像データに基づいてシート状媒体にレーザー方式、インクジェット方式などで画像を形成する。
操作部４２（判断手段、操作手段、枚数設定手段、モード選択手段、第１の枚数変更手段、送信先選択手段、第２の枚数変更手段の一例）は、複数のボタンやＬＣＤ（Liquid Crystal Display）などで構成されており、利用者は例えばＬＣＤに表示される画面を参照しつつボタンを操作することにより各種の操作を行うことができる。
【００３０】
インタフェース部４３はＵＳＢインタフェースやネットワークインタフェースなどで構成されている。
光電センサ４４（測定手段、カウント手段の一例）は、ＡＤＦ１６の搬送路１９を挟んで対向配置される発光部４４Ａと受光部４４Ｂとを備える。発光部４４ＡはＬＥＤなどで構成されており、受光部４４Ｂは発光部４４Ａにより発光された光を受光し、受光した光の明暗に応じた電気信号を出力する。
【００３１】
ＣＰＵ３７は、光電センサ４４から出力される電気信号に基づいてシート状媒体の長さを測定する。具体的には、シート状媒体が光電センサ４４まで搬送されると発光部４４Ａから発光された光がシート状媒体に遮られることにより受光部４４Ｂに入射する光量が低下し、それにより光電センサ４４から出力される電気信号のレベルが低下する。ＣＰＵ３７は、電気信号のレベルが「高（明）から低（暗）」に変化したときから「低（暗）から高（明）」に変化したときまでにシート状媒体が移動する距離を、その間のＡＤＦ１６のステッピングモータの回転数などから算出し、その距離をシート状媒体の長さとする。
なお、シート状媒体の長さの測定はこれに限られるものではなく、例えばシート状媒体の搬送経路上にシート状媒体によって倒される可動部材を設け、可動部材が倒れている間にシート状媒体が移動する距離を算出して長さを求めてもよい。
【００３２】
また、ＣＰＵ３７は、ＡＤＦ１６により搬送されるシート状媒体の枚数を、光電センサ４４から出力される電気信号に基づいてカウントする。具体的には、光電センサ４４から出力される電気信号のレベルは新たなシート状媒体が搬送される毎に「高（明）から低（暗）」に変化する。ＣＰＵ３７は電気信号のレベルが「高（明）から低（暗）」へ変化した回数をカウントすることにより、シート状媒体の枚数をカウントする。
なお、シート状媒体の枚数のカウントはこれに限られるものではなく、例えば前述した可動部材が倒された回数をカウントしてもよい。
【００３３】
（２）測定項目
複合機１は、ＡＤＦ１６によって搬送中のシート状媒体について、重送されている場合と重送されていない場合とで測定結果が異なる測定項目を測定し、測定した測定結果と基準値とを比較して重送を検出する。ここでは測定項目として、シート状媒体の搬送方向の長さ（以下、単に「長さ」という）を例に説明する。また、本実施形態では、シート状媒体の種類によって搬送方向の長さが異なるものとする。
【００３４】
図２は、同一種類のシート状媒体５１、５２が重送されている様子を示す模式図である。シート状媒体が重送されている場合、シート状媒体の長さを測定すると、先のシート状媒体５１の搬送方向先端から後のシート状媒体５２の搬送方向後端までが長さとして測定される。つまり、シート状媒体が重送されている場合に測定される長さは、重送されていない場合に測定される長さより長くなる。
【００３５】
そこで、複合機１は、最初に搬送されるシート状媒体は重送されていないものと仮定して、最初に搬送されるシート状媒体の長さを測定して基準値に設定し、その後に搬送されるシート状媒体の長さと基準値との乖離が大きければ、重送であると判断する。ただし、最初に搬送されるシート状媒体については長さを測定するのみであり、重送の検出は行わない。
【００３６】
（３）複数種類のシート状媒体がトレイに混載される場合の重送検出
図３は、異なる種類のシート状媒体が搬送されている様子を示す模式図である。ここでシート状媒体５３及び５４は第１の種類であり、シート状媒体５５及び５６は第１の種類とは異なる第２の種類である。複数種類のシート状媒体が原稿トレイ１７に混載される場合は、図示するように搬送中にシート状媒体の種類が切り替ることになる。
【００３７】
シート状媒体の種類によって長さが異なる場合、シート状媒体の種類に応じて基準値を変更しないと、重送を誤検出してしまう虞がある。なぜなら、先に搬送される第１の種類のシート状媒体のうち最初に搬送されるシート状媒体５３の長さを基準値に設定すると、同じ種類であるシート状媒体５４については重送を正しく検出できるものの、後に搬送される第２の種類のシート状媒体５５、５６については、重送でないにもかかわらず測定した長さと基準値との乖離が大きくなってしまうからである。
【００３８】
そこで、複合機１は、搬送中のシート状媒体の種類の切り替りを判断し、種類の切り替りを判断すると、種類の切り替り後に最初に搬送されるシート状媒体（図３ではシート状媒体５５）の長さを基準値に設定する。すなわち、切り替り後の種類に応じて基準値を変更する。このようにすると、シート状媒体５６の長さは第２の種類に応じた基準値と比較されるので、重送でなければシート状媒体５６の長さと基準値との乖離が小さくなり、重送とは判断されなくなる。これにより、重送を誤検出してしまう虞を低減できる。ただし、シート状媒体５５については長さを測定するのみであり、重送の検出は行わない。
【００３９】
本実施形態において種類の切り替りとは、前に搬送されたシート状媒体の種類と次に搬送されるシート状媒体の種類とが異なるときのことをいう他、シート状媒体の搬送が開始されたときのことも含むものとする。
【００４０】
（４）種類の切り替りの判断
本実施形態では、原稿トレイ１７に混載されている連続する同一種類のシート状媒体群をそれぞれ一つのグループとして、少なくとも最後に搬送されるグループ以外の各グループについて、利用者が枚数を設定する。そして、ＡＤＦ１６がシート状媒体を搬送するとき、シート状媒体が１枚搬送される毎に搬送済み枚数をカウントアップし、搬送済み枚数がグループの枚数に達すると、種類の切り替りと判断する。
【００４１】
以下、複数種類のシート状媒体が原稿トレイ１７に混載される場合の例として、送付状を添付して原稿をファクシミリ送信する場合と、動作指示シートを用いて原稿をコピーする場合とを例に、各グループの枚数の設定について説明する。
【００４２】
（４−１）送付状を添付して原稿をファクシミリ送信する場合
図４は、送付状を添付して原稿をファクシミリ送信する場合の枚数の設定を説明するための模式図である。ここで送付状及び原稿はシート状媒体の一例である。一般に原稿をファクシミリ送信するときは最初に送付状５７が添付される。そして、この送付状は送信対象の原稿５８〜６０とは種類が異なる場合がある。そこで、送付状を添付して原稿をファクシミリ送信する場合は、送付状５７を最初に搬送されるグループ（「送付状グループ」という）とし、原稿５８〜６０を最後に搬送されるグループ（「原稿グループ」という）として、各グループの枚数を利用者に設定させる。
【００４３】
本実施形態では、グループの数と各グループに属する原稿の枚数とが予め設定されている複数の読取モードを用意しており、読取モードの一つとして送付状モードを用意している。送付状を添付して原稿をファクシミリ送信する場合は送付状モードを選択することにより、利用者は各グループの枚数を容易に設定することができる。
【００４４】
具体的には、送付状モードには、グループの数として予め「２」が設定されており、送付状グループの枚数として「１」、原稿グループの枚数として「無制限」を意味する値が予めＲＯＭ３８に設定されている。原稿グループは最後に搬送されるグループであり、その後に他のグループは搬送されないので、グループの切り替りを判断する必要はない。このため原稿グループについては枚数を設定する必要はないが、本実施形態では最後のグループであることを識別するために、「無制限」を意味する所定の値を設定している。なお、原稿グループの枚数は予め設定しないようにしてもよい。
【００４５】
図５は、利用者が送付状グループの枚数を設定するためのユーザインタフェースを示す模式図である。利用者が操作部４２を操作してファクシミリ機能を選択すると、ファクシミリ送信の設定を行うための初期画面６１が操作部４２のＬＣＤに表示される。
【００４６】
初期画面６１が表示されている状態で操作部４２の図示しない［電話番号選択］ボタンを押下すると、電話番号選択画面６２が表示される。複合機１には送信先の氏名又は名称（以下、「氏名」という）とファクシミリ番号（電話番号）とを対応付けて登録しておくことができ、電話番号選択画面６２には登録されている送信先の氏名がスクロール表示される。利用者は操作部４２の図示しない［上]ボタン及び［下]ボタンを操作してカーソルを上下させることにより送信先を選択することができる。
【００４７】
一部の氏名の後に付加されている「（送付状）」という文字列は、原稿とは種類の異なる送付状を添付して送信する送信先を示している。送付状の種類と原稿の種類とは必ずしも異なるわけではないが、特定の送信先の場合には例えば原稿のサイズをＡ４（ＪＩＳ規格で定められている原稿サイズの一つ）とし、送付状のサイズをＡ５とするように決められている場合もある。「（送付状）」という文字列はそのような送信先であることを識別するものである。
【００４８】
電話番号選択画面６２で氏名の後に「（送付状）」という文字列が付加されている送信先を選択して所定のボタンを押下すると、送付状モードに遷移し、送付状枚数入力画面６３が表示される。送付状枚数入力画面６３には送付状グループの枚数として「１」（図中では「０１」）が初期表示される。
【００４９】
利用者は、初期表示された枚数を変更したい場合は操作部４２の図示しない０〜９の数字ボタンを操作して変更することができる。初期表示されている枚数を変更する操作部４２は第１の枚数変更手段の一例である。
送付状枚数入力画面６３で［スタート］ボタンを押下すると、送付状枚数入力画面６３に表示中の枚数に基づいて各グループの枚数が設定されて読み取りが開始される。
【００５０】
図６は、上述したユーザインタフェースにより設定された各グループの枚数を示す模式図である。送付状枚数入力画面６３で［スタート］ボタンを押下すると、グループの番号と各グループの枚数とを対応付けるテーブル（送付状モードのテーブル）が生成されてＲＡＭ３９に記憶される。これにより各グループの枚数が設定される。
【００５１】
「原稿グループ１の枚数」は最初に搬送されるグループの枚数、すなわち送付状グループの枚数であり、送付状枚数入力画面６３に表示中の枚数が設定される。
「原稿グループ２の枚数」は次に搬送されるグループの枚数、すなわち原稿グループの枚数であり、「無制限」が設定される。
【００５２】
なお、上述した説明では送付状グループの枚数を変更する場合の例として０〜９の数字ボタンを操作して変更する場合を例に説明したが、送信先に応じて変更してもよい。例えばＡさんとＢさんとに「（送付状）」という文字列が付加されていたとすると、例えばＡさんの場合は送付状の枚数を２枚、Ｂさんの場合は３枚などのように予め登録しておき、送信先としてＡさんが選択されたときは送付状グループの枚数として初期設定されている「１」を「２」に変更して初期表示し、Ｂさんが選択されたときは３に変更して初期表示するようにしてもよい。送付状グループの枚数を送信先に応じて変更する操作部４２は、第２の枚数変更手段の一例である。
【００５３】
（４−２）動作指示シートを用いて原稿をコピーする場合
初めに、動作指示シートを用いた原稿のコピーの概要について説明する。
図７は動作指示シートを用いた原稿のコピーを説明するための模式図であり、図８は図７に示す動作指示シート６４及び６５を拡大して示す模式図である。ここで動作指示シート及び原稿はシート状媒体の一例である。
【００５４】
図８に示すように、動作指示シートにはコピーに関する各種の設定項目が表記されており、設定項目毎に複数の設定値が表記されている。例えば「原稿供給」はコピーする原稿をどのように供給するかを設定する設定項目であり、「ＦＢ」、「ＡＤＦ片面」、及び「ＡＤＦ両面」という設定値が表記されている。ここで「ＦＢ」はフラットベッドの略であり、第１プラテンガラス１２に載置されている原稿を読み取るように設定する設定値である。「ＡＤＦ片面」は原稿トレイ１７に積載されている原稿をＡＤＦ１６によって一枚ずつ搬送し、搬送されている原稿の片面を読み取るように設定する設定値である。「ＡＤＦ両面」は原稿の両面を読み取るように設定する設定値である。他の設定項目の詳細については説明を省略する。
【００５５】
利用者は、各設定値の左側に表記されている塗り潰し用の四角枠を鉛筆などで塗り潰すことによって設定値を選択することができる。利用者は設定値を選択した後、動作指示シート６４、６５及び原稿５８〜６０をこの順で読み取られるように原稿トレイ１７に載置して［スタート］ボタンを押下する。
［スタート］ボタンが押下されると、複合機１は先ず動作指示シートを読み取って画像データを生成する。そして、複合機１は生成した画像データを画像認識することにより各設定項目の設定値を認識し、認識した設定値に基づいて原稿５８〜６０をコピーする。
【００５６】
以上説明したように、動作指示シートを用いて原稿をコピーするときは最初に数枚の動作指示シートが添付される。そして、この動作指示シートはコピー対象の原稿とは種類が異なる場合がある。そこで、動作指示シートを用いて原稿をコピーする場合は、動作指示シートを最初に搬送されるグループ（「動作指示シートグループ」という）とし、原稿を最後に搬送されるグループ（「原稿グループ」という）として、各グループの枚数を利用者に設定させる。
【００５７】
具体的には、動作指示シートを用いて原稿をコピーするモードである動作指示シートモード（読取モードの一例）には、グループの数として予め「２」が設定されており、動作指示シートグループの枚数として「２」、原稿グループの枚数として「無制限」を意味する値が予めＲＯＭ３８に設定されている。なお、原稿グループの枚数は予め設定しないようにしてもよい。
【００５８】
図９は、動作指示シートを用いて原稿をコピーするためのユーザインタフェースを説明するための模式図である。利用者が操作部４２を操作してコピー機能を選択すると、コピーの設定を行うためのコピー設定画面６６が表示される。コピー設定画面６６に表示されている数字「０１」はコピー部数である。このコピー部数は１枚の原稿を何部コピーするかを設定するものであり、グループの枚数を設定するものではない。
利用者は、コピー設定画面６６でコピーの設定を行って［スタート］ボタンを押下することにより、動作指示シートを用いずに原稿をコピーすることもできる。コピー設定画面６６で［スタート］ボタンを押下した場合には、動作指示シートの認識は行われない。
【００５９】
コピー設定画面６６が表示されている状態で利用者により動作指示シートモードに遷移するための所定の操作が行われると、動作指示シートモードに遷移し、動作指示シートモード画面６７が表示される。動作指示シートモード画面６７に表示されている数字は前述した部数である。動作指示シートモード画面６７で利用者が［スタート］ボタンを押下すると、各グループの枚数が設定されて読み取りが開始される。
【００６０】
図１０は、上述したユーザインタフェースにより設定された各グループの枚数を示す模式図である。動作指示シートモード画面６７で［スタート］ボタンを押下すると、グループの番号と各グループの枚数とを対応付けるテーブル（動作指示シートモードのテーブル）が生成されてＲＡＭ３９に記憶される。これにより各グループの枚数が設定される。
【００６１】
「原稿グループ１の枚数」は最初に搬送されるグループの枚数、すなわち動作指示シートグループの枚数であり、本実施形態では「２」が設定される。
「原稿グループ２の枚数」は次に搬送されるグループの枚数、すなわち原稿グループの枚数であり、「無制限」が設定される。
【００６２】
（４−３）種類の切り替りを判断しない場合
複数種類のシート状媒体を原稿トレイ１７に混載した場合であっても、送付状モードによるファクシミリ送信も動作指示シートモードによるコピーも行わない場合もある。その場合にはグループの切り替りを判断できず、重送を誤判定する虞がある。そこで、そのような場合は利用者が操作部４２を操作して混載モードを設定する。
【００６３】
例えば、原稿トレイ１７に混載した複数種類のシート状媒体を、送付状モードを選択せずにファクシミリ送信する場合は、利用者は電話番号選択画面６２で「（送付状）」という文字列が付加されていない送信先を選択する。そして、利用者は操作部４２を操作して混載モードを設定し、その後に［スタート］ボタンを押下する。
【００６４】
また、例えば、原稿トレイ１７に混載した複数種類のシート状媒体を、動作指示シートモードを選択せずにコピーする場合は、利用者はコピー設定画面６６で操作部４２を操作して混載モードを設定し、その後に［スタート］ボタンを押下する。
複合機１は、混載モードが設定されて［スタート]ボタンが押下された場合は、重送を検出することなく原稿を読み取る。このためグループの切り替りも判断しない。
【００６５】
また、複合機１は、［スタート］ボタンが押下されたとき、送付状モード、動作指示シートモード、及び混載モードのいずれも設定されていない場合は、同一種類のシート状媒体のみが原稿トレイ１７に積載されているものとして、自動で通常モードに設定する。通常モードでは全てのシート状媒体を１つのグループ（原稿グループ）とする。
通常モードにはグループの数として予め「１」が設定されており、原稿グループの枚数として「無制限」が予め設定されている。
【００６６】
図１１は、通常モード（読取モードの一例）のテーブルを示す模式図である。通常モードが設定されると、通常モードのテーブルが生成されてＲＡＭ３９に記憶される。これにより各グループの枚数が設定される。
通常モードの場合は、最初に搬送されるグループ（原稿グループ）が最後に搬送されるグループでもあり、その後に他のグループは搬送されないので、グループの切り替りを判断する必要はない。従って通常モードの場合は、重送の検出はするが、グループの切り替りは判断しない。
【００６７】
（５）読み取り処理
次に、原稿を読み取る読み取り処理について説明する。ここでは以下の１）〜４）のいずれかの操作により読み取りが開始される場合を例に説明する。
【００６８】
１）電話番号選択画面６２で「（送付状）」という文字列が付加されている送信先を選択して送付状モードに遷移し、送付状枚数入力画面６３で［スタート］ボタンを押下する（送付状モードでの読み取り）。
【００６９】
２）コピー設定画面６６で所定の操作を行って動作指示シートモードに遷移し、動作指示シートモード画面６７で［スタート］ボタンを押下する（動作指示シートモードでの読み取り）。
【００７０】
３）電話番号選択画面６２で「（送付状）」という文字列が付加されていない送信先を選択し、混載モードを設定して［スタート］ボタンを押下する、又はコピー設定画面６６で混載モードを設定して［スタート］ボタンを押下する（混載モードでの読み取り）。
【００７１】
４）送付状モード、動作指示シートモード、及び混載モードのいずれも選択せずに［スタート］ボタンを押下する（通常モードでの読み取り）。より具体的には、電話番号選択画面６２で「（送付状）」という文字列が付加されていない送信先を選択し、混載モードを設定せずに［スタート］ボタンを押下する、又はコピー設定画面６６で混載モードを設定せずに［スタート］ボタンを押下する。
【００７２】
（５−１）読み取り処理の全体フロー
図１２は、読み取り処理の全体フローを示すフローチャートである。以下の説明において原稿という場合は、送付状や動作指示シートも含む。
【００７３】
Ｓ１０１では、ＣＰＵ３７は、重送検出の要否の決定、及び重送検出要と決定した場合に原稿グループの決定を行う処理である「重送検出要否、グループ決定処理」を実行する。
詳しくは後述するが「重送検出要否、グループ決定処理」では、送付状モード、動作指示シートモード又は通常モードの場合は重送検出が必要と決定され、混載モードの場合は重送検出が不要と決定される。
【００７４】
Ｓ１０２では、ＣＰＵ３７は上述した「重送検出要否、グループ決定処理」の処理結果から、重送検出が必要か否かを判定する。ＣＰＵ３７は重送検出が不要と判定した場合（混載モードの場合）はＳ１０３に進み、必要と判定した場合（送付状モード、動作指示シートモード、又は通常モードの場合）はＳ１０４に進む。
【００７５】
Ｓ１０３では、ＣＰＵ３７は重送を検出しない読み取りを実行する。
Ｓ１０４では、ＣＰＵ３７は上述した「重送検出要否、グループ決定処理」で決定されたグループの数が複数であるか否かを判定する。
送付状モード及び動作指示シートモードはグループの数が複数であるので、複数であると判定されることになる。一方、通常モードはグループの数が１であるので、複数ではないと判定されることになる。
ＣＰＵ３７はグループの数が１つだけである場合（通常モードの場合）はＳ１０５に進み、グループの数が複数の場合（送付状モード、又は動作指示シートモードの場合）はＳ１０６に進む。
【００７６】
Ｓ１０５では、ＣＰＵ３７は通常の重送を検出する読み取りを実行する。通常の重送の検出とは、搬送中に原稿のグループの切り替りを判断することなく重送を検出することをいう。
Ｓ１０６では、ＣＰＵ３７は「グループ毎に重送を検出する読み取り処理」を実行する。
【００７７】
以上により原稿が読み取られる。原稿を読み取って生成された画像データは、ファクシミリ機能が選択されている場合はファクシミリ送受信部４０によってファクシミリ送信され、コピー機能が選択されている場合はプリンタ部４１によって印刷される。
【００７８】
（５−２）重送検出要否、グループ決定処理
図１３は、「重送検出要否、グループ決定処理」の流れを示すフローチャートである。
Ｓ２０１では、ＣＰＵ３７は送付状モードか否かを判定する。ＣＰＵ３７は送付状モードの場合はＳ２０２に進み、送付状モードでない場合はＳ２０４に進む。
【００７９】
Ｓ２０２では、ＣＰＵ３７は重送検出が必要であると決定する。
Ｓ２０３では、ＣＰＵ３７は原稿グループテーブルに送付状モードのテーブルを設定するとともに、原稿グループ数に送付状モードのグループ数である２を設定する。
Ｓ２０４では、ＣＰＵ３７は動作指示シートモードか否かを判定する。ＣＰＵ３７は動作指示シートモードの場合はＳ２０５に進み、動作指示シートモードでない場合はＳ２０７に進む。
【００８０】
Ｓ２０５では、ＣＰＵ３７は重送検出が必要であると決定する。
Ｓ２０６では、ＣＰＵ３７は原稿グループテーブルに動作指示シートモードのテーブルを設定するとともに、原稿グループ数に動作指示シートモードのグループ数である２を設定する。
Ｓ２０７では、ＣＰＵ３７は混載モードであるか否を判定する。ＣＰＵ３７は混載モードでない場合（通常モードの場合）はＳ２０８に進み、混載モードである場合はＳ２１０に進む。
【００８１】
Ｓ２０８では、ＣＰＵ３７は重送検出が必要であると決定する。
Ｓ２０９では、ＣＰＵ３７は原稿グループテーブルに通常モードのテーブルを設定するとともに、原稿グループ数に通常モードのグループ数である１を設定する。
Ｓ２１０では、ＣＰＵ３７は重送検出は不要であると決定する。
【００８２】
（５−３）グループ毎に重送を検出する読み取り処理
図１４は、「グループ毎に重送を検出する読み取り処理」の流れを示すフローチャートである。
Ｓ３０１では、ＣＰＵ３７は処理対象のグループの番号を示す変数である「原稿グループ番号」に１をセットする。
【００８３】
Ｓ３０２では、ＣＰＵ３７は搬送済み枚数をカウントする変数である「搬送済み枚数カウンタ」に初期値として０（零）をセットする。
Ｓ３０３では、ＣＰＵ３７は「原稿グループ番号」に対応する番号のグループの枚数を原稿グループテーブルから取得する。
Ｓ３０４では、ＣＰＵ３７はＳ３０３で取得した枚数が複数であるか否かを判定する。ＣＰＵ３７は取得した枚数が複数でない、すなわち１枚の場合はＳ３０５に進み、複数の場合はＳ３０７に進む。
【００８４】
Ｓ３０５では、ＣＰＵは重送を検出することなく原稿を読み取る。
Ｓ３０６では、ＣＰＵ３７は「原稿グループ番号」にセットされている番号のグループが最後のグループであるか否かを判定する。ＣＰＵ３７は、最後のグループであると判定した場合は処理を終了し、最後のグループではないと判定した場合はＳ３１６に進む。
【００８５】
Ｓ３０７では、ＣＰＵ３７はＡＤＦ１６によりグループの最初の原稿を搬送して読取部２５により読み取りを行う。このとき、ＣＰＵ３７は光電センサ４４を制御して原稿の長さを測定する。
Ｓ３０８では、ＣＰＵ３７は「搬送済み枚数カウンタ」に１を加算する。
【００８６】
Ｓ３０９では、ＣＰＵ３７はＳ３０７で測定した長さを基準値に設定する。
設定する基準値は、測定した長さそのものであってもよいし、例えば測定した長さの−１０％〜＋１０％までなどのように範囲として設定してもよい。同じ種類でも長さがばらつくこともあるので、基準値を範囲として設定すると、重送をより安定して検出できる。
【００８７】
Ｓ３１０では、ＣＰＵ３７はＡＤＦ１６により次の原稿を搬送しながら読取部２５により読み取りを行う。このときＣＰＵ３７は当該搬送中の原稿の長さを測定し、測定した長さとＳ３０９で設定した基準値とを比較して重送を検出する。具体的には、ＣＰＵ３７は基準値を範囲として設定した場合は測定した長さがその範囲内にあれば重送ではないとし、範囲外であれば重送であるとする。
【００８８】
Ｓ３１１では、ＣＰＵ３７はＳ３１０で重送が検出されたか否かを判定する。ＣＰＵ３７は、重送が検出されている場合はＳ３１２に進み、重送が検出されていない場合はＳ３１３に進む。
Ｓ３１２では、ＣＰＵ３７は重送が検出された旨を利用者に報知して読み取りを終了する。この報知は、重送が検出された旨のメッセージをＬＣＤに表示することによって行ってもよいし、音声案内などの他の方法で行ってもよい。
【００８９】
Ｓ３１３では、ＣＰＵ３７は「搬送済み枚数カウンタ」に１を加算する。
Ｓ３１４では、ＣＰＵ３７は次の原稿があるか否かを判定する。ＣＰＵ３７は、次の原稿がない場合は全ての原稿を読み取ったとして処理を終了し、次の原稿がある場合はＳ３１５に進む。例えば、光電センサ４４から出力される電気信号のレベルが一定時間経過しても「高（明）から低（暗）」に変化しなければ次の原稿はないと判定できる。
【００９０】
Ｓ３１５では、ＣＰＵ３７は「原稿グループ番号」にセットされている番号のグループの枚数分の原稿を読み取ったか否かを判定する。ＣＰＵ３７は、当該グループの枚数分の原稿を読み取った場合は、グループの切り替り、すなわち種類の切り替りと判断してＳ３１６に進み、読み取っていない場合は当該枚数分の原稿を読み取るまでＳ３１０に戻って処理を繰り返す。
【００９１】
前述したＳ３１４で次の原稿があるか否かを判定しているのは、グループの枚数が「無制限」である場合にはＳ３１５においてグループの枚数を読み取ったか否かを判定してもＹＥＳにならず、グループの終わりを判定できないからである。グループの枚数が「無制限」の場合には残り全ての原稿が読み取られるまで読み取りが行われる。全ての原稿を読み取り終わると次の原稿がなくなるので、それをもってグループの終わりと判断し、読み取りを終了する。
Ｓ３１６では、ＣＰＵ３７は現在の「原稿グループ番号」に１を加算してＳ３０２に戻る。
【００９２】
以上により処理が終了する。この処理によれば、Ｓ３１５でグループの枚数を読み取ったと判定された場合はＳ３１６に進み、Ｓ３０９が再度実行されて次のグループの最初に搬送される原稿の長さが基準値に設定される。これにより、切り替り後の種類に応じて基準値が変更される。
【００９３】
（６）実施形態の効果
以上説明した本発明の実施形態１に係る複合機１によると、搬送中のシート状媒体の種類の切り替りを判断し、切り替り後の種類に応じて基準値を変更するので、原稿トレイ１７に複数種類のシート状媒体が混載されていても重送を精度よく検出できる。
【００９４】
更に、複合機１によると、測定項目として、シート状媒体の搬送方向の長さを測定する。シート状媒体が重送されている場合に測定される長さは、重送されていない場合に測定される長さより長くなるので、シート状媒体の長さを測定すると、重送を検出できる。
【００９５】
更に、複合機１によると、種類の切り替り後に最初に搬送されるシート状媒体の測定結果を基準値に設定するので、切り替り後の種類に応じて基準値を変更できる。
【００９６】
更に、複合機１によると、原稿トレイ１７に混載されている連続する同一種類のシート状媒体群をそれぞれ一つのグループとし、少なくとも最後に搬送されるグループ以外の各グループについて、当該グループに属するシート状媒体の枚数を設定するとともに、ＡＤＦ１６によってシート状媒体が１枚搬送される毎に「搬送済み枚数カウンタ」をカウントアップする。そして、複合機１は設定された枚数と搬送済み枚数とに基づいてグループの切り替りを判断する。これにより、種類の切り替りを判断できる。
【００９７】
更に、複合機１によると、シート状媒体は画像が形成されている原稿であり、原稿トレイ１７に混載されている原稿を１枚ずつ搬送して読取位置を通過させるＡＤＦ１６と、読取位置を通過する原稿を読み取って画像データを生成する読取部２５とを備える。この複合機１によると、ＡＤＦ１６によって搬送される原稿を読み取る画像読取装置において、原稿の重送を精度よく検出できる。
【００９８】
更に、複合機１によると、グループの数と各グループに属する原稿の枚数とが予め設定されている複数の読取モードのいずれかを選択する。このため複合機１によると、選択する予定の読取モードに設定されているグループの数と各グループに属する原稿の枚数とに合わせて複数種類の原稿を原稿トレイ１７に混載し、その上で当該読取モードを選択することにより、各グループの枚数を容易に設定できる。
例えば、原稿とは種類が異なる送付状を添付して送信する場合には、送付状を一つのグループとし、原稿を別のグループとした送付状モードを用意しておくことにより、画像データを送信する際の各グループの枚数の設定が容易になる。
【００９９】
更に、複合機１によると、送付状モードに設定されている送付状グループの枚数を変更できる。送付状の枚数は必ずしも固定であるとは限らず、その時々で異なることもあり得る。複合機１によると、送付状グループの枚数を変更できるので、利用者の利便性が向上する。
【０１００】
更に、複合機１によると、送信先を選択することができ、送付状グループの枚数を送信先に応じて変更する。このため複合機１によると、複数の送信先があって送信先毎に送付状の枚数が異なっても、選択した送信先に応じて枚数が変更されるので、画像データを送付する際の送付状グループの枚数の設定がより容易になる。
【０１０１】
＜実施形態２＞
次に、本発明の実施形態２を図１５によって説明する。
実施形態２では、シート状媒体の長さが測定される毎に、その測定結果で基準値を更新する。
図１５は、実施形態２に係る「グループ毎に重送を検出する読み取り処理」の流れを示すフローチャートである。ここでは実施形態１と実質的に同一の処理には同一の符号を付して詳細な説明は省略する。
【０１０２】
Ｓ４０１では、ＣＰＵ３７は測定した長さを基準値に設定する。具体的には、ＣＰＵ３７は、現在の原稿がグループの最初の原稿であればＳ３０７で測定した長さを基準値に設定し、現在の原稿がグループの２枚目以降の原稿であれば前回Ｓ３１０を実行したときに測定した長さを基準値に設定する。
Ｓ４０２では、ＣＰＵ３７は、グループの枚数分の原稿を読み取った場合はＳ３１６に進み、読み取っていない場合は当該枚数分の原稿を読み取るまでＳ４０１に戻って処理を繰り返す。
【０１０３】
以上説明した本発明の実施形態２に係る複合機によると、光電センサ４４で原稿の長さが測定される毎に、その長さで基準値を更新する。光電センサ４４の測定精度は経時変化する場合がある。光電センサ４４の測定精度が経時変化すると、重送でないにもかかわらず基準値と測定結果との乖離が大きくなり、重送であると誤検出してしまう可能性がある。原稿の長さが測定される毎にその長さで基準値を更新するようにすると、基準値を設定してから次の原稿の長さを測定するまでの時間を短くできるので、重送でない場合は基準値と次に搬送される原稿の長さとの乖離が小さくなり、重送であると誤検出してしまう可能性を低減できる。
実施形態２はその他の点において実施形態１と実質的に同一である。
【０１０４】
＜実施形態３＞
次に、本発明の実施形態３を説明する。
実施形態３では、基準値として設定する値をシート状媒体の種類毎にＲＯＭ３８に記憶しておき、種類の切り替り後に最初に搬送されるシート状媒体の種類に対応する値をＲＯＭ３８（記憶手段の一例）から読み出して基準値に設定する。
【０１０５】
例えば、前述した動作指示シートモードを例に説明すると、動作指示シートの種類が特定の種類に固定されている場合は、動作指示シートグループにその固定されている種類を設定しておく。なお、この種類を利用者が適宜変更できるようにしてもよい。
【０１０６】
これとは別に、シート状媒体の種類毎に基準値として設定する値を予めＲＯＭ３８に記憶しておく。
そして、グループの切り替りを判断すると、切り替り後のグループの種類を原稿グループテーブルから取得し、取得した種類に対応する値をＲＯＭ３８から読み出して基準値に設定する。
【０１０７】
以上説明した本発明の実施形態３に係る複合機によると、切り替り後の種類に応じて基準値を変更できるとともに、種類の切り替り後に最初に搬送されるシート状媒体についても重送を検出できる。
【０１０８】
なお、ここでは基準値として設定される値をＲＯＭ３８に記憶する場合を例に説明したが、フラッシュメモリなどの不揮発性の記憶媒体に記憶するようにしてもよい。そして、利用者が操作部４２を操作してその値を変更できるようにしてもよい。値を変更できるようにすると、光電センサ４４の測定精度が経時変化しても変化後の測定精度に応じて値を変更することにより、シート状媒体の重送を精度よく検出できる。
実施形態３はその他の点において実施形態１と実質的に同一である。
【０１０９】
＜実施形態４＞
次に、本発明の実施形態４を説明する。
実施形態４では、重送されている場合と重送されていない場合とで測定結果が異なる測定項目として、原稿の厚さを測定する。例えば２枚のシート状媒体が一部重なって重送されている場合は、重なっている部分の厚さは１枚のシート状媒体の厚さより厚くなる。つまり、シート状媒体が重送されている場合に測定される厚さは、重送されていない場合に測定される厚さより厚くなる。従って、シート状媒体の厚さを測定すると、重送を検出できる。
【０１１０】
シート状媒体の種類によって厚さが異なる場合は、シート状媒体の種類に応じて基準値を変更しないと、重送を誤検出してしまう虞がある。従って、測定項目として厚さを測定する場合も、種類の切り替りを判断し、切り替り後の種類に応じて基準値を変更することにより、原稿トレイ１７に複数種類のシート状媒体が混載されていても、重送を精度よく検出できる。
【０１１１】
シート状媒体の厚さの測定は、シート状媒体の一方の面と他方の面との距離を直接測定することによって行ってもよい。また、シート状媒体の種類間で材質が同じ場合は、透過光量を測定することによって間接的に厚さを測定してもよい。透過光量を測定する場合は、光電センサ４４を用いることができる。光電センサ４４を用いると厚さを測定するための手段を別途備える必要がないので、部品点数を増加させることなく厚さを測定できる。
更に、光電センサ４４を用いる場合、実施形態２と組み合わせることにより、光電センサ４４の光量の経時変化による厚さ測定の誤差を低減でき、重送をより精度良く検出することができる。
実施形態４はその他の点において実施形態１と実質的に同一である。
【０１１２】
＜他の実施形態＞
本発明は上記記述及び図面によって説明した実施形態に限定されるものではなく、例えば次のような実施形態も本発明の技術的範囲に含まれる。
【０１１３】
（１）上記実施形態ではグループの枚数が１の場合も重送を検出する場合を例に説明したが、グループの枚数が２以上のときのみ重送の検出を行うようにしてもよい。例えば種類の切り替り後に最初に搬送されるシート状媒体の長さを基準値に設定する場合、グループの枚数が１枚の場合はその基準値は用いられない。このためグループの枚数が１枚の場合は重送の検出をしないようにすると、そのような処理の無駄を低減できる。
【０１１４】
（２）上記実施形態では１種類又は２種類のシート状媒体が原稿トレイ１７に混載される場合を例に説明したが、３種類以上のシート状媒体を混載してもよい。その場合は３種類以上に対応した読取モードを用意してもよい。また、シート状媒体の種類の数によらず、利用者が操作部４２を操作してグループの数と各グループの枚数とを任意に設定できるようにしてもよい。
【０１１５】
（３）上記実施形態では測定項目としてシート状媒体の長さや厚さを例に説明したが、測定項目は重送されている場合と重送されていない場合とで測定結果が異なる項目であればこれら以外の項目であってもよい。
【０１１６】
（４）上記実施形態では画像読取装置として複合機を例に説明したが、スキャナ機能のみを備えるイメージスキャナ、ファクシミリ機能のみを備えるファクシミリ装置などに本発明を適用してもよい。
【０１１７】
（５）上記実施形態ではシート状媒体搬送装置として原稿カバー１５を例に説明したが、シート状媒体搬送装置は、給紙トレイにセットされている紙などの被記録媒体（シート状媒体の一例）を一枚ずつ搬送しながらその被記録媒体に画像を形成するプリンタに用い、被記録媒体が画像形成のための搬送経路中を搬送されるときの重送を検出してもよい。
この他、シート状媒体搬送装置は、複数種類のシート状媒体を一枚ずつ搬送する装置であって、シート状媒体の重送を検出することが望ましい任意の装置に適用することができる。
【符号の説明】
【０１１８】
１…複合機（画像読取装置）
１５…原稿カバー（シート状媒体搬送装置）
１６…ＡＤＦ（搬送手段）
１７…原稿トレイ（トレイ）
２５…読取部（読取手段）
３５…イメージセンサ制御部（読取手段）
３７…ＣＰＵ（搬送手段、測定手段、重送検出手段、判断手段、基準値変更手段、操作手段、枚数設定手段、カウント手段、読取手段、モード選択手段、第１の枚数変更手段、送信先選択手段、第２の枚数変更手段）
３８…ＲＯＭ（記憶手段）
４０…ファクシミリ送受信部（送信手段）
４２…操作部（判断手段、操作手段、枚数設定手段、モード選択手段、第１の枚数変更手段、送信先選択手段、第２の枚数変更手段）
４４…光電センサ（測定手段、カウント手段）
５７…送付状（シート状媒体）
５８〜６０…原稿（シート状媒体）
６４、６５…動作指示シート（シート状媒体）
【図１】
2010173798.tif 000003
【図２】
2010173798.tif 000004
【図３】
2010173798.tif 000005
【図４】
2010173798.tif 000006
【図５】
2010173798.tif 000007
【図６】
2010173798.tif 000008
【図７】
2010173798.tif 000009
【図８】
2010173798.tif 000010
【図９】
2010173798.tif 000011
【図１０】
2010173798.tif 000012
【図１１】
2010173798.tif 000013
【図１２】
2010173798.tif 000014
【図１３】
2010173798.tif 000015
【図１４】
2010173798.tif 000016
【図１５】
2010173798.tif 000017